(57)【要約】【課題】表示装置間の非表示領域の視認が大幅に低減され、画像の連続性が高く、良好な画像を表示可能な配列型表示装置を提供する。【解決手段】配列型表示装置１００は、表示装置１０Ａ〜１０Ｄを配列して形成されている。表示装置１０Ａ〜１０Ｄは、それぞれ、表示部１１Ａ〜１１Ｄの外周側に非表示部１２Ａ〜１２Ｄを有し、また、表示部１１Ａ〜１１Ｄより観察側に、表示部１１Ａ〜１１Ｄ及び非表示部１２Ａ〜１２Ｄを被覆する複数の透明板２０Ａ〜２０Ｄを備えている。透明板２０Ａ〜２０Ｄは、隣り合う透明板２０Ａ〜２０Ｄと接している。表示部１１Ａ〜１１Ｄの正面方向から見て非表示部１２Ａ〜１２Ｄに対応する周縁部は、外周端の厚みが内側より薄くなるように形成された第１斜面部２２Ａ〜２２Ｄとなっており、第１斜面部２２Ａ〜２２Ｄから出射した光の少なくとも一部は、表示部１１Ａ〜１１Ｄに直交する方向に出射するものとした。【選択図】図１
2013072980.tif 000002
【特許請求の範囲】
【請求項１】
複数の表示装置を配列して形成された配列型表示装置であって、
前記複数の表示装置は、それぞれ、画像を表示可能な表示部の外周側に画像を表示しない非表示部を有し、
前記複数の表示装置は、それぞれ、前記表示部より観察側に、前記表示部及び前記非表示部を被覆する透明板を備え、
前記各透明板は、隣り合う透明板と接しており、表示部の正面方向から見て非表示部に対応する周縁部は、外周端の厚みが内側より薄くなるように形成された第１斜面部となっており、
前記各透明板の前記第１斜面部から出射した光の少なくとも一部は、前記表示部に直交する方向に出射すること、
を特徴とする配列側表示装置。
【請求項２】
請求項１に記載の配列側表示装置において、
前記表示部に直交する方向から見て、前記第１斜面部の最も外周側となる点から出射した光の少なくとも一部は、前記表示部に直交する方向に出射すること、
を特徴とする配列側表示装置。
【請求項３】
請求項１又は請求項２に記載の配列型表示装置において、
前記透明板の厚み方向において、前記第１斜面部の最も前記表示装置側となる点を点Ｔ１とし、
前記点Ｔ１を通り前記表示部に直交する直線が、前記表示部と前記非表示部の境界における前記非表示部の観察側表面の点を含み前記表示部に平行な平面と交わる点をＴ２とし、
前記表示部に直交する方向における点Ｔ１と点Ｔ２との距離をＨとし、
前記点Ｔ１から前記表示部に直交する方向へ出射する光が点Ｔ１に入射したときに、前記透明板内において点Ｔ１を通り前記表示部に直交する方向となす角度をβとし、
点Ｔ１を通り前記第１斜面部及び前記表示部に直交する方向に平行な平面が、前記非表示部と交わる距離をＷとするとき、
Ｈ≧Ｗ／ｔａｎβ
という関係を満たすこと、
を特徴とする配列型表示装置。
【請求項４】
請求項３に記載の配列型表示装置において、
前記距離Ｈは、
Ｈ≦１．１×Ｗ／ｔａｎβ
という関係を満たすこと、
を特徴とする配列型表示装置。
【請求項５】
請求項１から請求項４までのいずれか１項に記載の配列型表示装置において、
前記各表示装置の前記表示部は、前記表示部の正面方向から見て多角形状であり、
前記各表示装置の観察側に配置される前記各透明板は、前記各表示装置の形状に対応した形成であり、前記表示装置の前記非表示部及び前記表示部を被覆すること、
を特徴とする配列型表示装置。
【請求項６】
請求項５に記載の配列型表示装置において、
前記各透明板の角部には、前記第１斜面部とは異なる第２斜面部が形成されおり、
前記第２斜面部が前記表示部に直交する方向となす角度は、前記第１斜面部が前記表示部に直交する方向となす角度よりも小さいこと、
を特徴とする配列型表示装置。
【請求項７】
請求項１から請求項６までのいずれか１項に記載の配列型表示装置において、
前記各透明板の外周面の少なくとも一部には、光を反射する反射層が形成されていること、
を特徴とする配列型表示装置。
【請求項８】
請求項７に記載の配列型表示装置において、
前記反射層の少なくとも一部は、前記表示部に直交する方向及び前記表示部の平面方向に対して角度をなしていること、
を特徴とする配列型表示装置。
【発明の詳細な説明】
【技術分野】
【０００１】
本発明は、複数の表示装置を配列して表示画面を形成する配列型表示装置に関するものである。
【背景技術】
【０００２】
背面投射型表示装置、プラズマ表示装置、液晶表示装置、有機ＥＬ（Ｅｌｅｃｔｒｏ−Ｌｕｍｉｎｅｓｃｅｎｃｅ）（有機ＬＥＤ（ｌｉｇｈｔ−ｅｍｉｔｔｉｎｇ  ｄｉｏｄｅ））表示装置等を配列して、画面サイズを拡大した配列型表示装置は、数十インチ以上の大型の表示画面が必要なデジタルサイネイジや制御監視等に広く用いられている。
このような配列型表示装置に関しては、より良好な画像を表示するために、その画面の耐候性や画面の平面性、視認性の向上等が図られている（例えば、特許文献１，２参照）。
【先行技術文献】
【特許文献】
【０００３】
【特許文献１】特開２００７−１９２９７７号公報
【特許文献２】特開２０００−１２２５７１号公報
【発明の概要】
【発明が解決しようとする課題】
【０００４】
しかし、例えば、背面投射型表示装置では、背面投射型スクリーンを保持するための枠構造が必要であり、プラズマ表示装置、液晶表示装置、有機ＥＬ表示装置では、表示装置の表示部がガラス製のパネルであるので、パネルを保持するための枠構造が必要である。
そのため、これらの枠構造によって、いずれの表示装置においても表示装置の周辺部に画像の表示できない非表示領域ができてしまう。そして、これらを平面上に配列して配列型表示装置を構成すると表示装置間に画像の表示できない非表示領域によって枠状の継目部分（目地部分）ができてしまうという問題点がある。この表示装置間の継目部分は、映像が表示されないため、画像の連続性が低下してその画質が低下する等の問題がある。
プラズマ表示装置、液晶表示装置、有機ＬＥＤ表示装置等では、表示部のパネルの端面に保持部材を接着して保持部材の幅をできるだけ狭くして、非表示領域を小さくすることも考えられている。しかし、これらの表示装置では周辺部に電極を配置しなければならないので、そのようにしても非表示領域が数ミリ程度生じてしまい、画像の連続性は改善されていない。
【０００５】
特許文献１では、継目部分の上に、有機ＬＥＤを配置するという手法が開示されている。しかし、有機ＬＥＤの周辺部には電極が必要なので、実際には、その電極部分が非表示領域となってしまう。また、特許文献１に開示される構成は、構造が複雑であり、生産コストの増加を招く。
また、特許文献２では、ＦＥＤ（Ｆｉｅｌｄ  Ｅｍｉｓｓｉｏｎ  Ｄｉｓｐｌａｙ）等の電極及び配線を工夫し、非表示領域となる継目部分の幅を小さくする手法が開示されている。しかし、封着剤や側面接続配線等によって生じる非表示領域が存在するため、画面の連続性の改善は不十分である。
【０００６】
本発明の課題は、表示装置間の非表示領域の視認が大幅に低減され、画像の連続性が高く、良好な画像を表示可能な配列型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、複数の表示装置（１０Ａ〜１０Ｄ）を配列して形成された配列型表示装置であって、前記複数の表示装置は、それぞれ、画像を表示可能な表示部（１１Ａ〜１１Ｄ）の外周側に画像を表示しない非表示部（１２Ａ〜１２Ｄ）を有し、前記複数の表示装置は、それぞれ、前記表示部より観察側に、前記表示部及び前記非表示部を被覆する透明板（２０Ａ〜２０Ｄ）を備え、前記各透明板は、隣り合う透明板と接しており、表示部の正面方向から見て非表示部に対応する周縁部は、外周端の厚みが内側より薄くなるように形成された第１斜面部（２２Ａ〜２２Ｄ）となっており、前記各透明板の前記第１斜面部から出射した光の少なくとも一部は、前記表示部に直交する方向に出射すること、を特徴とする配列側表示装置（１００）である。
請求項２の発明は、請求項１に記載の配列側表示装置において、前記表示部（１１Ａ〜１１Ｄ）に直交する方向から見て、前記第１斜面部（２２Ａ〜２２Ｄ）の最も外周側となる点（Ｔ１）から出射した光の少なくとも一部は、前記表示部に直交する方向に出射すること、を特徴とする配列側表示装置（１００）である。
【０００８】
請求項３の発明は、請求項１又は請求項２に記載の配列型表示装置において、前記透明板（２０Ａ〜２０Ｄ）の厚み方向において、前記第１斜面部（２２Ａ〜２２Ｄ）の最も前記表示装置側となる点を点Ｔ１とし、前記点Ｔ１を通り前記表示部（１１Ａ〜１１Ｄ）に直交する直線が、前記表示部と前記非表示部（１２Ａ〜１２Ｄ）の境界における前記非表示部の観察側表面の点を含み前記表示部に平行な平面と交わる点をＴ２とし、前記表示部に直交する方向における点Ｔ１と点Ｔ２との距離をＨとし、前記点Ｔ１から前記表示部に直交する方向へ出射する光が点Ｔ１に入射したときに、前記透明板内において点Ｔ１を通り前記表示部に直交する方向となす角度をβとし、点Ｔ１を通り前記第１斜面部及び前記表示部に直交する方向に平行な平面が、前記非表示部と交わる距離をＷとするとき、Ｈ≧Ｗ／ｔａｎβという関係を満たすこと、を特徴とする配列型表示装置（１００）である。
請求項４の発明は、請求項３に記載の配列型表示装置において、前記距離Ｈは、Ｈ≦１．１×Ｗ／ｔａｎβという関係を満たすこと、を特徴とする配列型表示装置（１００）である。
【０００９】
請求項５の発明は、請求項１から請求項４までのいずれか１項に記載の配列型表示装置において、前記各表示装置（１０Ａ〜１０Ｄ）の前記表示部（１１Ａ〜１１Ｄ）は、前記表示部の正面方向から見て多角形状であり、前記各表示装置の観察側に配置される前記各透明板（２０Ａ〜２０Ｄ）は、前記各表示装置の形状に対応した形成であり、前記表示装置の前記非表示部（１２Ａ〜１２Ｄ）及び前記表示部を被覆すること、を特徴とする配列型表示装置（１００）である。
請求項６の発明は、請求項５に記載の配列型表示装置において、前記各透明板（２０Ａ〜２０Ｄ）の角部には、前記第１斜面部（２２Ａ〜２２Ｄ）とは異なる第２斜面部（２３Ａ〜２３Ｄ）が形成されており、前記第２斜面部が前記表示部に直交する方向となす角度（α２）は、前記第１斜面部が前記表示部に直交する方向となす角度（α１）よりも小さいこと、を特徴とする配列型表示装置（１００）である。
【００１０】
請求項７の発明は、請求項１から請求項６までのいずれか１項に記載の配列型表示装置において、前記各透明板（２０Ａ〜２０Ｄ）の外周面の少なくとも一部には、光を反射する反射層（３０）が形成されていること、を特徴とする配列型表示装置である。
請求項８の発明は、請求項７に記載の配列型表示装置において、前記反射層（３０）の少なくとも一部は、前記表示部に直交する方向及び前記表示部の平面方向に対して角度をなしていること、を特徴とする配列型表示装置である。
【発明の効果】
【００１１】
本発明によれば、表示装置間の非表示領域（継目部分）が視認されて画像の連続性を低下させることがない、良好な配列型表示装置とすることができる。また、このような良好な画像を表示できる配列型表示装置を簡易に構成することができる。
【図面の簡単な説明】
【００１２】
【図１】実施形態の配列型表示装置１００を説明する図である。
【図２】実施形態の配列型表示装置１００の断面図である。
【図３】表示装置１０Ａ及び透明板２０Ａから出射する光の様子を説明する図である。
【図４】実施形態の表示装置１０Ａ及び透明板２０Ａの角部を示す図である。
【図５】透明板２０Ａ〜２０Ｄの変形形態を示す図である。
【図６】配列型表示装置１００の各種変形形態を説明する図である。
【図７】従来の配列型表示装置９０を示す斜視図である。
【図８】従来の配列型表示装置９０に用いられる表示装置９０Ａ（９０Ａ１〜９０Ａ３）の構成を示す図である。
【図９】点Ｔ１，Ｔ２及び距離Ｈを説明する図である。
【発明を実施するための形態】
【００１３】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート、フィルム等の言葉は、一般的な使い方として、厚さの厚い順に、板、シート、フィルムの順で使用されており、本明細書中でもそれに倣って使用している。しかし、このような使い分けには、技術的な意味は無い。従って、シート、板、フィルムの文言は、適宜置き換えることができるものとする。例えば、透明板は、透明シートとしてもよいし、透明フィルムとしてもよい。
さらに、本明細書中に記載する各部材の寸法等の数値及び材料名等は、実施形態としての一例であり、これに限定されるものではなく、適宜選択して使用してよい。
【００１４】
（従来の配列型表示装置について）
まず、従来の配列型表示装置について説明する。
図７は、従来の配列型表示装置９０を示す斜視図である。図７に示す従来の配列型表示装置９０は、表示画面が矩形状であり、同サイズである４つの表示装置９０Ａ，９０Ｂ，９０Ｃ，９０Ｄを備えており、それらの画像を表示可能な表示部９１Ａ，９１Ｂ，９１Ｃ，９１Ｄが１つの平面状に位置するように、縦横に２個ずつ配列されている。
なお、表示装置９０Ａ〜９０Ｄは、背面投射型表示装置や、プラズマ表示装置、液晶表示装置、有機ＥＬ表示装置（有機ＬＥＤ表示装置）や、その他の表示装置等が使用されている。また、配列型表示装置９０を形成する表示装置の数は、図７に示すような４つに限らず、２つや、６つや８つ等としているものもある。
【００１５】
図８は、従来の配列型表示装置９０に用いられる表示装置９０Ａ（９０Ａ１〜９０Ａ３）の構成を示す図である。図８では、代表として、表示装置９０Ａ（９０Ａ１〜９０Ａ３）のみを示し、かつ、表示装置９０Ａ（９０Ａ１〜９０Ａ３）の表示画面（表示部９１Ａ）に法線方向に平行な断面の一部を示している。
図８（ａ）は、表示装置として背面投射型表示装置が用いられる例を示し、図８（ｂ）は、表示装置としてプラズマ表示装置、液晶表示装置、有機ＥＬ表示装置（有機ＬＥＤ表示装置）等が用いられる例を示し、図８（ｃ）は、表示装置として用いられるプラズマ表示装置、液晶表示装置、有機ＥＬ表示装置（有機ＬＥＤ表示装置）等の図８（ｂ）とは異なる形状の例を示している。
背面投射型表示装置である表示装置９０Ａ１は、図８（ａ）に示すように、背面投射型スクリーン９１を保持するための枠構造９２を備えている。背面投射型スクリーン９１の観察者側表面の周縁部は、この枠構造９２の観察者側の枠部材９２ａに被覆される。従って、その領域は、画像が表示できない非表示部（継目部分）になる。
【００１６】
また、図８（ｂ）に示すように、プラズマ表示装置、液晶表示装置、有機ＥＬ表示装置等である表示装置９０Ａ２は、表示パネル９３を保持するための枠構造９４を備えている。表示パネル９３の観察者側表面は、枠構造９４の観察者側の枠部材９４ａによりその周縁部が被覆され、その領域が非表示部（継目部分）となる。
さらに、図８（ｃ）に示すように、プラズマ表示装置、液晶表示装置、有機ＥＬ表示装置等である表示装置９０Ａ３は、表示パネル９５の端面に保持部材９６を接着し、保持部材９６の幅を狭くする構成としている。しかし、表示パネル９５では、その周縁部分に電極部や配線部等を設ける領域９７を設ける必要がある。従って、その領域９７となる部分が、非表示部となる。
【００１７】
そのため、図７に示すように、表示装置９０Ａ〜９０Ｄのそれぞれの表示部９１Ａ〜９１Ｄの外周側には、画像を表示できない非表示部９２Ａ〜９２Ｄが存在する。
このような従来の配列型表示装置９０に画像を表示すると、各表示装置９０Ａ〜９０Ｄの間の非表示部９２Ａ〜９２Ｄが継目のように暗線として認識され、画像の連続性、視認性を著しく損ない、画質の低下が生じるという問題があった。
本発明は、これを改善し、画像の連続性があり、良好な視認性を有する配列型表示装置とするものである。
【００１８】
（実施形態）
図１は、実施形態の配列型表示装置１００を説明する図である。図１（ａ）は、配列型表示装置１００の構成を説明する斜視図であり、図１（ｂ）は、図１（ａ）に示す矢印Ａ１−Ａ２に沿って配列型表示装置１００の厚み方向に平行に切断した断面を示した図であり、図１（ｃ）表示装置１０Ａの観察者側正面方向から見た平面図であり、図１（ｄ）は、透明板２０Ａを観察者側正面方向から見た平面図である。なお、理解を容易にするために、図１（ｃ），（ｄ）では、代表として表示装置１０Ａ，透明板２０Ａのみを示しているが、他の表示装置１０Ｂ〜１０Ｄ及び透明板２０Ｂ〜２０Ｄでも表示装置１０Ａ及び透明板２０Ａと同様の形状を有している。
本実施形態の配列型表示装置１００は、表示装置部１０と、透明板部２０とを備えている。この透明板部２０は、表示装置部１０の観察者側に設けられており、本実施形態では、透明板部２０と表示装置部１０との間に設けられた不図示の接合層を介して表示装置部１０に一体に接合されている。透明板部２０と表示装置部１０とを接合する接合層は、光透過性が高く、透明板部２０と屈折率が等しく、光学的に等価であるものを用いることが好ましい。
【００１９】
表示装置部１０は、図１（ａ）に示すように、映像を表示する表示装置が複数配列されて形成される部分である。本実施形態の表示装置部１０は、表示装置１０Ａ，１０Ｂ，１０Ｃ，１０Ｄが、その映像を表示可能な表示部１１Ａ〜１１Ｄの観察側表面（表示画面）が１つの平面上に位置するように互いに隣接して配列され、配列型表示装置１００としての表示画面を形成している。
また、表示装置１０Ａ〜１０Ｄは、縦横（使用状態における配列型表示装置の画面上下方向及び画面左右方向）に２つずつ配列されている。なお、配列型表示装置１００を形成する表示装置の数は、所望される画面サイズの大きさに伴い変更可能であり、４つに限らず、２つとしてもよいし、６つや８つ等としてもよい。
【００２０】
表示装置１０Ａ〜１０Ｄは、図１（ｃ）に示すように、その表示画面の法線方向（表示装置１０Ａ〜１０Ｄの正面方向）から見て、映像を表示可能な表示画面となる表示部１１Ａ〜１１Ｄと、表示部１１Ａ〜１１Ｄの周囲に位置し、枠部材や電極部等によって映像を表示できない非表示部１２Ａ〜１２Ｄとを有する。本実施形態では、表示部１１Ａ〜１１Ｄは、略矩形状であり、その外周側に隣接して非表示部１２Ａ〜１２Ｄが位置している。
この表示装置１０Ａ〜１０Ｄは、プラズマ表示装置、液晶表示装置、有機ＥＬ表示装置（有機ＬＥＤ表示装置）等としてもよいし、背面投射型表示装置としてもよい。
【００２１】
透明板部２０は、表示装置部１０の表示画面の観察者側に配置された透明な略平板状の部材である。この透明板部２０は、図１（ａ）に示すように、透明板２０Ａ，２０Ｂ，２０Ｃ，２０Ｄが、縦横（使用状態における配列型表示装置の画面上下方向及び画面左右方向）に２つずつ隣接して配列され、略平板状を形成している。この透明板２０Ａ，２０Ｂ，２０Ｃ，２０Ｄは、それぞれ、表示装置１０Ａ，１０Ｂ，１０Ｃ，１０Ｄの観察者側に、各表示装置対応する位置に配置されている。また、配列型表示装置１００の表示画面の正面方向から見て、透明板２０Ａ，２０Ｂ，２０Ｃ，２０Ｄの大きさは、表示装置１０Ａ，１０Ｂ，１０Ｃ，１０Ｄの大きさに略一致している。
この透明板２０Ａ〜２０Ｄは、いずれも、略平板状の部材である。透明板２０Ａ〜２０Ｄの表示装置部１０側の面は、略平面状であるが、観察者側の面は、表示装置１０Ａ〜１０Ｄの表示部１１Ａ〜１１Ｄに対応する平面部２１Ａ〜２１Ｄと、非表示部１２Ａ〜１２Ｄに対応する第１斜面部２２Ａ〜２２Ｄ及び第２斜面部２３Ａ〜２３Ｄとを備えている。
【００２２】
平面部２１Ａ〜２１Ｄは、表示部１１Ａ〜１１Ｄの表面に平行な平面状であり、その大きさ及び形状が表示部１１Ａ〜１１Ｄに対応している。
図１（ａ），（ｄ）に示すように、第１斜面部２２Ａ〜２２Ｄは、透明板２０Ａ〜２０Ｄの画面上下端及び画面左右端に位置し、平面部２１Ａ〜２１Ｄ（表示部１１Ａ〜１１Ｄ）に平行な平面に対して所定の角度をなす。この第１斜面部２２Ａ〜２２Ｄは、透明板２０Ａ〜２０Ｄの外周側の方が内周側（平面部２１Ａ側）よりも、透明板２０Ａ〜２０Ｄの厚みが薄くなるように形成されている。
第２斜面部２３Ａ〜２３Ｄは、透明板２０Ａ〜２０Ｄの観察者側表面の角部に形成されており、平面部２１Ａ〜２１Ｄ（表示部１１Ａ〜１１Ｄ）に平行な平面に対して所定の角度（前述の第１斜面部２２Ａ〜２２Ｄとは異なる角度）をなす。この第２斜面部２３Ａ〜２３Ｄは、透明板２０Ａ〜２０Ｄの外周側の方が内周側（平面部２１Ａ側）よりも、透明板２０Ａ〜２０Ｄの厚みが薄くなるように形成されている。
【００２３】
透明板部２０の透明板２０Ａ〜２０Ｄは、光透過性の高い部材を用いることが好ましく、透明な部材を用いることが好ましい。透明板２０Ａ〜２０Ｄの材料としては、ポリカーボネート（ＰＣ）樹脂、アクリル系樹脂、スチレン樹脂、オレフィン系樹脂、ガラス、セラミック等を適宜選択して用いることができる。
【００２４】
図２は、実施形態の配列型表示装置１００の断面図である。図２では、図１に示すＡ１−Ａ２ラインに沿って配列型表示装置１００の厚み方向に平行に切断した断面の一部を拡大しており、理解を容易にするために、表示装置１０Ａ及び透明板２０Ａのみを示し、かつ、表示装置１０Ａの構成に関しては大幅に簡略化して示している。
なお、本実施形態では、透明板２０Ａ〜２０Ｄは、表示装置１０Ａ〜１０Ｄの観察側表面に、透明板２０Ａ〜２０Ｄと屈折率が等しい粘着材や接着材からなる接合層により接合されている。従って、この接合層は、透明板２０Ａと光学的に等価であるので、理解を容易にするために、図２等では省略して示している。
【００２５】
表示装置１０Ａは、前述のように、画像を表示可能な領域（画像を表示する表示光が出射する領域）である表示部１１Ａと、画像を表示しない領域である非表示部１２Ａとを有する。非表示部１２Ａは、前述のように、スクリーンや表示パネルの枠部材や、表示パネルの電極部や配線部等によって生じる部分であり、表示部１１の外周側に位置する。
表示装置１０Ａの観察者側に透明板２０Ａが配置されている。図２に示すように、透明板２０Ａの第１斜面部２２Ａは、表示装置１０Ａの非表示部１２Ａに対応する位置に設けられており、平面部２１Ａは、表示部１１Ａに対応する領域に設けられている。
【００２６】
ここで、図２に示す断面において、表示装置１０Ａの非表示部１２Ａの幅Ｗは、透明板２０Ａの第１斜面部２２Ａの幅に等しい。
また、第１斜面部２２Ａの下端（最も表示装置１０Ａ側）となる点を点Ｔ１とし、点Ｔ１を通り表示部１１Ａの表面（表示画面）に直交する直線が、表示部１１Ａと非表示部１２Ａの境界における非表示部１２Ａの観察側表面上の点（非表示部１２Ａの観察側表面において最も表示部１１Ａ側の点）を含み表示部１１Ａに平行な平面と交わる点を点Ｔ２とする。そして、表示部１１Ａに直交する方向における点Ｔ１と点Ｔ２との距離を距離Ｈとする。この距離Ｈは、Ｈ＞０であり、第１斜面部２２Ａの下端となる点Ｔ１は、表示装置１０Ａの非表示部１２Ａの観察者側表面には接していない。
【００２７】
本実施形態のように、非表示部１２Ａの観察側表面が、表示部１１Ａの観察側表面に平行な平面状である場合（図２等参照）には、点Ｔ１を通り表示部１１Ａ（表示画面）に直交する直線と、非表示部１２Ａの観察側表面との交点が、点Ｔ２となる。そして、表示部１１Ａに直交する方向にいける点Ｔ１と点Ｔ２との距離を距離Ｈとする。
また、スクリーンや表示パネルを保持する枠部材の形状等により、図９に示すように、非表示部１２Ａの観察者側表面が表示部１１Ａの観察側表面（表示画面）に対して角度をなす等、平行な平面ではない場合には、点Ｔ１を通り表示部１１Ａに直交する直線が、表示部１１Ａと非表示部１２Ａの境界における非表示部１２Ａの観察側表面上の点を含み表示部１１Ａに平行な平面と交わる点を点Ｔ２とし、表示部１１Ａに直交する方向における点Ｔ１と点Ｔ２との距離を距離Ｈとする。
【００２８】
図２に示す断面において、第１斜面部２２Ａと、表示装置１０Ａの表示部１１Ａの表示画面に直交する直線とがなす角度が、角度α１である。
この角度α１が小さすぎると、第１斜面部２２Ａと表示部１１Ａの表示画面とがなす角度が大きくなり、図２や図３に示す断面において、第１斜面部２２Ａへ入射する光の入射角γ１が大きくなり、臨界角を超えてしまい、第１斜面部２２Ａで全反射してしまう。従って、表示部１１Ａの正面方向に出射する光が少なくなるので好ましくない。
また、この角度α１が大きすぎると、第１斜面部２２Ａと表示部１Ａの表示画面とがなす角度が小さくなり、図２や図３に示す断面において、第１斜面部２２Ａへ入射する光の入射角γ１が小さくなる。従って、スネルの法則等から、第１斜面部２２Ａへの入射角γ１に対する出射角δ１の大きさ（比率）が小さくなる。そのため、多くの光が第１斜面部２２Ａから表示部１１Ａに対する垂直方向に対して角度をなす方向へ出射し、第１斜面部２２Ａから出射した光が表示部１１Ａに対して垂直方向に進行する光量が少なくなるので好ましくない。
以上のことから、この角度α１は、２０〜７０°とすることが好ましい。
【００２９】
図３は、表示装置１０Ａ及び透明板２０Ａから出射する光の様子を説明する図である。図３では、図２に示す断面と同じ断面における光の様子を示してる。
表示装置１０Ａの表示部１１Ａの外周端近傍（非表示部１２Ａ近傍）から出射した光（表示光）のうち、表示装置１０Ａに垂直に出射した光Ｌ１は、進行方向を変えずにそのまま透明板２０Ａを透過し、表示部１１Ａの表示画面に直交する方向（透明板２０Ａの平面部２１Ａの法線方向）に進む。
一方、表示装置１０Ａの表示部１１Ａの外周端近傍から、非表示部１２Ａ側に斜めに出射した光Ｌ２は、透明板２０Ａの第１斜面部２２Ａに入射し、第１斜面部２２Ａと空気との界面で屈折し、表示部１１Ａの表示画面に垂直な方向、即ち、表示装置１０Ａの正面方向に進む。
【００３０】
本実施形態の配列型表示装置１００では、上述のように非表示部１２Ａ〜１２Ｄの観察者側に位置する第１斜面部２２Ａ〜２２Ｄから表示光が出射する。そして、配列型表示装置１００を観察する観察者には、非表示部１２Ａ〜１２Ｄに相当する領域からも表示光が出射しているように認識され、画像が表示されているように認識される。従って、本実施形態のような第１斜面部２２Ａ〜２２Ｄを備えることにより、表示装置１０Ａ〜１０Ｄの非表示部１２Ａ〜１２Ｄが暗線として認識され、その暗線によって配列型表示装置１００の画面の画像が分断されることがない。即ち、枠部材や電極部等といった表示装置１０Ａ〜１０Ｄ間の継目部分（目地部分）が視認されることによる画像の劣化を大幅に改善することができる。
【００３１】
ここで、透明板２０Ａの第１斜面部２２Ａから表示装置１０Ａの表示画面の垂直方向（表示装置１０Ａの正面方向）に光を出射させるためには、前述の距離Ｈが所定の条件を満たす必要がある。
図２に示す断面において、表示装置１０Ａの表示部１１Ａの最も非表示部１２Ａ側となる点Ｔ１から出射し、透明板２０Ａ内において、表示部１１Ａの表示画面に直交する方向に対して非表示部１２Ａ側へ角度βで斜めに進む光が、第１斜面部２２Ａに入射角γ１で入射し、第１斜面部２２Ａに対して出射角δ１で出射することにより、表示装置１０Ａの正面方向（表示部１１Ａに表示画面の法線方向）に出射するものとする。
ここで、前述した点Ｔ１と点Ｔ２との距離Ｈと非表示部１２Ａの幅Ｗは、ｔａｎβ＝Ｗ／Ｈである。従って、Ｈ≧Ｗ／ｔａｎβを満たすことが好ましい。
【００３２】
図２に示す断面において、角度βを一定とした場合、距離Ｈが、上記の式を満たさず、Ｈ＜Ｗ／ｔａｎβとなる場合には、透明板２０Ａの最外周側となる点Ｔ１に、表示装置１０Ａの表示部１１Ａの最も非表示部１２Ａ側となる点から出射し、透明板２０Ａ内において、表示部１１Ａの表示画面に直交する方向に対して非表示部１２Ａ側へ斜めに角度βで進む光が入射しない。これにより、透明板２０Ａの最外周側である点Ｔ１から正面方向へ表示光が出射しないこととなり、非表示部１２Ａが観察者に映像が表示されない継目（目地）として認識されてしまう。従って、配列型表示装置の画像の連続性及び視認性が低下し、画質が低下するため好ましくない。従って、距離Ｈは、Ｈ≧Ｗ／ｔａｎβを満たすことが好ましい。
【００３３】
また、図２に示す断面において、角度βを一定とした場合、距離Ｈが、Ｗ／ｔａｎβよりも大きくなる大きくなればなるほど、透明板２０Ａの第１斜面部２２Ａに入射して表示画面の正面方向（表示部１１Ａに直交する方向）に出射する光の表示部１１Ａから出射する位置が、表示部１１Ａの外周側（非表示部１２Ａ側）からより内側（表示画面中央側）に移動する。そのため、Ｈの値がＷ／ｔａｎβよりも余りに大きな値となった場合には、第１斜面部２２Ａから表示画面に直交する方向に出射した光の表示する画像と、表示部１１Ａの非表示部１２Ａに隣接する領域が表示する画像とが異なってしまい、配列型表示装置１００の画面としての画像の連続性が損なわれるので好ましくない。
【００３４】
従って、良好な画像を表示するという観点から、距離Ｈは、Ｈ≧Ｗ／ｔａｎβを満たしつつも、あまり大きくしすぎないことが好ましい。具体的には、Ｈ≦１．１×Ｗ／ｔａｎβであることが好ましい。距離Ｈが、１．１×Ｗ／ｔａｎβよりも大きくなると、上述のように、表示部１１Ａの非表示部１２Ａに隣接する領域が表示する画像とが異なってしまい、画像の連続性が損なわれるからである。
よって、表示装置１０Ａ〜１０Ｄ間の非表示部１２Ａ〜１２Ｄの視認が大幅に低減され、画像の連続性が高く、良好な画像を表示可能な配列型表示装置１００を提供するという観点から、距離Ｈは、Ｈ≧Ｗ／ｔａｎβ、かつ、Ｈ≦１．１×Ｗ／ｔａｎβを満たすことが好ましい。
【００３５】
図４は、実施形態の表示装置１０Ａ及び透明板２０Ａの角部を示す図である。図４（ａ）は、角部の斜視図であり、図４（ｂ）は、角部を表示部１１Ａの正面方向から見た図である。
図４に示す角部は、例えば、図１に示す配列型表示装置１００の画面中央に相当する位置等に在るが、理解を容易にするために、表示装置１０Ａ及び透明板２０Ａのみを示し、他の表示装置及び透明板は省略して示している。また、図４（ａ）は、表示装置１０Ａ及び透明板２０Ａの角部の斜視図であり、図４（ｂ）は、角部を表示部に直交する方向から見た図である。
なお、ここでは、一例として表示装置１０Ａ及び透明板２０Ａを挙げて説明するが、他の表示装置１０Ｂ〜１０Ｄ及び透明板２０Ｂ〜２０Ｄでも同様である。
【００３６】
透明板２０Ａは、上述のように、その観察者側の角部には、第２斜面部２３Ａが形成されている。この第２斜面部２３Ａは、透明板２０Ａの４つの角部全てに形成されている。
このように、角部に第２斜面部２３Ａ〜２３Ｄを形成すると、この第２斜面部２３Ａ〜２３Ｄからも観察者側に表示光が出射し、観察者に画像が表示されているように認識されるので、表示装置１０Ａ〜１０Ｄ間の継目（非表示部領域）が目立たず、画像の連続性が高く、好ましい。
また、第２斜面部２３Ａ〜２３Ｄが表示部１１Ａに直交する直線となす角はα２（図４（ａ）参照）であるが、この角度α２は、第１斜面部２２Ａが表示部１１Ａに直交する直線となす角α１と同様に、２０〜７０°とすることが、好ましい。
さらに、角部全体に第２斜面部２３Ａを形成するためには、図４からもわかるように、α２＜α１であることが好ましい。このとき、第２斜面部２３Ａの下端となる点Ｔ３は、点Ｔ１よりも表示装置１０Ａ側に位置する。
【００３７】
（実施例）
本実施形態の実施例となる配列型表示装置１００を作成し、実際に映像を表示してその視認性を評価した。
実施例に使用した表示装置部１０（表示装置１０Ａ〜１０Ｄ）は、有機ＥＬ表示装置であり、前述の図８（ｃ）の形態のものである。
透明板部２０（透明板２０Ａ〜２０Ｄ）は、透明なアクリル樹脂製であり、その屈折率が１．４９である。また、透明板部２０は、表示装置部１０の観察者側表面に、透明板部２０を形成する樹脂と同じく、屈折率が１．４９のアクリル系粘着材を介して接合されている。
透明板２０Ａにおいて、第１斜面部２２Ａが表示部１１Ａに直交する方向（透明板２０Ａの平面部２１Ａの法線方向）となす角度α１＝４５°であり、第１斜面部２２Ａに直交する方向と表示部１１Ａに直交する方向とがなす角度δ１＝４５°である。
また、非表示部１２Ａの幅Ｗ＝３ｍｍである。
【００３８】
このとき、図２に示す断面において、表示部１１Ａの非表示部１２Ａとの境界部分から出射し、第１斜面部２２Ａの点Ｔ１を通り、表示部１１Ａに直交する方向（表示装置１０Ａの正面方向）に出射する表示光、即ち、第１斜面部２２Ａから出射角δ１で出射する表示光を考える。
上述のように、角度α１＝４５°であり、角度δ１＝４５°であり、透明板２０Ａの屈折率は１．４９である。従って、図２に示す断面において、点Ｔ１を通り、表示部１１Ａ（表示画面）の法線方向（表示装置１０Ａの正面方向）に進む表示光は、透明板２０Ａ内において、表示部１１Ａに直交する方向に対して、角度β＝１６．６７°をなし、第１斜面部２２Ａに対して角度γ１＝２８．３３°で入射し、界面で屈折して、第１斜面部２２Ａから出射角δ１＝４５°で出射する。
【００３９】
ここで、Ｈ≧Ｗ／ｔａｎβ≒３．３４×Ｗである。本実施例では、Ｗ＝３ｍｍであるので、上記の式から、Ｈ≧１０．０ｍｍとなる。
また、Ｈ≦１．１×Ｗ／ｔａｎβ＝１．１×Ｗ×３．３４＝１１．０２２であることから、Ｈ≦１１．０２２ｍｍとなる。
透明板２０Ａは、軽量化や生産コストの低減等の観点から、必要な条件を満たしながらも薄い方がこのましい。
従って、本実施例では、Ｈ＝１０．０ｍｍとすれば、軽量であり、安価に精算することができ、かつ、画像の連続性の良好な透明板２０Ａとすることができる。
【００４０】
次に、本実施形態の実施例の表示装置１０Ａ及び透明板２０Ａの角部では、図４に示すように第２斜面部２３Ａが角部全体に形成されている。
この実施例において、第２斜面部２３Ａと表示部１１Ａに垂直な直線とがなす角度α２（図４（ａ）参照）は、α２＝３５．２６°である。したがって、表示部１１Ａに直交する方向に対して、角度２１．５１°をなす表示光は第２斜面部２３Ａに入射角３３．２３°で入射して、界面で屈折して、第２斜面部２３Ａに対して出射角５４．７４°で出射する、即ち、表示部１１Ａに対して直交する方向に出射する。
第２斜面部２３Ａと表示部１１Ａに垂直な直線とがとなす角度α２は、第１斜面部２２Ａと表示部１１Ａに垂直な直線とがなす角α１よりも小さくする（α１＞α２）ことが好ましい。このような第２斜面部２３Ａとすることにより、透明板２０Ａの角部全体に第２斜面部２３Ａを形成することができ、角部において、非表示部１２Ａによって継目として視認される領域を大幅に低減し、角部における画面の連続性をよくすることができる。
上述のように、第２斜面部２３Ａを形成することにより、角部においても、画面の連続性の良好な透明板２０Ａとすることができる。
【００４１】
従って、本実施形態の配列型表示装置１００では、表示装置１０Ａの第１斜面部２２Ａ及び第２斜面部２３Ａから光（表示光）が出射し、配列型表示装置１００の正面方向に位置する観察者には、非表示部１２Ａ〜１２Ｄに相当する領域には、画像が観察され、継目部分が観察されない。従って、配列型表示装置としての画像の連続性が向上する。従って、良好な画像が得られる。
【００４２】
（変形形態）
以上説明した実施形態に限定されることなく、種々の変形や変更が可能であって、それらも本発明の範囲内である。
図５は、透明板２０Ａ〜２０Ｄの変形形態を示す図である。
図６は、配列型表示装置１００の各種変形形態を説明する図である。
なお、図５及び図６や以下の説明において、理解を容易にするために、透明板２０Ａや表示装置１０Ａを例に挙げて示しているが、透明板２０Ｂ〜２０Ｄや表示装置１０Ｂ〜１０Ｄにおいても同様に適用可能である。
（１）本実施形態において、第１斜面部２２Ａ及び第２斜面部２３Ａは、平面状である例を示したが、これに限らず、例えば、第１斜面部２２Ａ及び第２斜面部２３Ａは、曲面状としてもよいし、凹凸形状を有する面であってもよい。
例えば、第１斜面部２２Ａ及び第２斜面部２３Ａの外周側になればなるほど、その接線と表示画面とのなす角が大きくなるような曲面とした場合には、この曲面部分から表示画面の法線方向に出射する表示光が表示部１１Ａから出射される領域を狭くすることができる。従って、非表示部１２Ａに相当する曲面状の第１斜面部２２Ａ及び第２斜面部２３Ａに表示される画像と、これに隣接する平面部２１Ａに表示される画像の差を、より少なくすることができ、画像の連続性を向上させることができる。
【００４３】
（２）本実施形態において、透明板２０Ａ〜２０Ｄの第１斜面部２２Ａ〜２２Ｄよりも表示装置部１０側の側面部分は、表示画面の法線方向に平行な平面状である例を示したが、これに限らず、曲面状としてもよいし、複数の平面等を組み合わせて形成される形状としてもよい。また、透明板２０Ａ〜２０Ｄの第１斜面部２２Ａ〜２２Ｄよりも表示装置部１０側の側面部分には、反射層を形成してもよい。
図５（ａ）に示すように、透明板２０Ａの第１斜面部２２Ａよりも表示装置部１０側の側面２４Ａに、光を反射可能な反射層３０を形成してもよい。このような形状とすることにより、側面２４Ａに入射する光が反射され、一部が第１斜面部２２Ａから出射するので、非表示部（継目部分）の視認性をさらに低減することができ、画像の連続性を向上することができる。この反射層３０は、その側面２４Ａ側に凹凸形状を有する形態としてもよい。このような形状とすることにより、側面２４Ａに入射する光が拡散反射されるため、側面２４Ａで反射されて第１斜面部２２Ａから出射する光の量を増大させ、画像の連続性を向上させることができる。
【００４４】
また、図５（ｂ）に示すように、側面２４Ａの少なくとも一部を斜面２５Ａとしてもよいし、この斜面２５Ａ及び側面２４Ａに反射層３０を形成してもよい。このような形状とすることにより、斜面２５Ａ及び側面２４Ａで反射して、第１斜面部２２Ａから出射する光を増やすことができ、画像の連続性を向上させることができる。このとき、反射層３０は，上述のように、側面２４Ａ及び斜面２５Ａ側に凹凸形状を有していてもよい。
さらに、図５（ｃ）に示すように、側面２４Ａを曲面状としてもよい。このような形状とすることにより、側面２４Ａで反射して、第１斜面部２２Ａから出射する光を増やすことができ、画像の連続性を向上させることができる。このとき、反射層３０は，上述のように、側面２４Ａ側に凹凸形状を有していてもよい。
なお、反射層３０に凹凸形状を賦形する例を例に挙げて説明したが、これに限らず、凹凸形状は、側面２４Ａ及び斜面２５Ａに形成してもよい。
【００４５】
（３）本実施形態において、透明板部２０（透明板２０Ａ〜２０Ｄ）と表示装置部１０（表示装置１０Ａ〜１０Ｄ）は、不図示の接合層を介して一体に接合される例を示したが、これに限らず、例えば、図６（ａ）に示すように透明板２０Ａの側面２４Ａと表示装置の側面とを片面又は両面に粘着性を有する接合テープ等のテープ状の部材４０により接合することにより、透明板２０Ａと表示装置１０Ａとを接合してもよい。
この場合、テープ状の部材４０の厚み部分が非表示部分（継目）となるが、その幅は小さく、画像の連続性に与える影響は小さい。また。透明板２０Ａと表示装置１０Ａとの接合を容易に行うことができる。
なお、透明板部２０と表示装置部１０は、接合層を介さずに一体に積層してもよいし、透明板部２０と表示装置部１０との間に空気層が存在していてもよい。
【００４６】
（４）本実施形態において、透明板部２０は、複数の透明板２０Ａ〜２０Ｄが隣接して配列されて形成される例を示したが、これに限らず、１枚の板状の部材から形成してもよい。図６（ｂ）は、透明板部２０が１枚の板状の部材である場合の図１（ａ）のＡ１−Ａ２での断面に相当する断面図である。このような形状とすることにより、観察者には表示画面がより１つの画面として認識されやすくなり、より画像の連続性を高めることができる。
【００４７】
（５）本実施形態において、配列型表示装置１００は、表示装置１０Ａ〜１０Ｄ及び透明板２０Ａ〜２０Ｄが平面配列される例を示したが、これに限らず、例えば、図６（ｃ）に示すように、各表示装置及び透明板が、その表示画面が互いに角度をなすように配列してもよい。このような形状とすることにより、配列型表示装置の利便性や意匠性を高め、観察者Ｏに対して、用途に適した画像表示を行うことができる。
【００４８】
（６）本実施形態において、表示装置１０Ａ〜１０Ｄの表示部１１Ａ〜１１Ｄの表示画面が平面状である例を示したが、これに限らず、表示画面は、円筒面状や球面状等のように曲面状であってもよい。このような形態とする場合、透明板２０Ａ〜２０Ｄは、表示装置１０Ａ〜１０Ｄの表示部１１Ａ〜１１Ｄに追従した形状としてもよい。なお、この場合に、第１斜面部２２Ａ〜２２Ｄ及び第２斜面部２３Ａ〜２３Ｄにおける表示画面の法線方向とは、表示装置１０Ａ〜１０Ｄの表示部１１Ａの外周部において、表示装置１０Ａ〜１０Ｄの観察側表面に接する平面に対して垂直な方向となる。
【００４９】
（７）透明板２０Ａ〜２０Ｄは、適宜所望する光学性能等に応じて、内部に拡散剤を含有する形態としてもよいし、その表面にマット形状が形成されていてもよい。さらに、透明板２０Ａ〜２０Ｄの観察者側に、防眩層や、反射防止層、ハードコート層、防汚層、帯電防止層、紫外線吸収層、タッチパネル層等の各種機能を有する層を適宜設けてもよい。
【００５０】
（８）本実施形態において、配列型表示装置１００として複数の表示装置１０Ａ〜１０Ｂが配列され、それに対応した透明板２０Ａ〜２０Ｄが配列される例を示したが、これに限らず、例えば、通常の表示装置においても、適用可能であり、その枠部材等による非表示部の視認性を低減することができる。
【００５１】
なお、本実施形態及び変形形態は、適宜組み合わせて用いることもできるが、詳細な説明は省略する。また、本発明は以上説明した実施形態によって限定されることはない。
【符号の説明】
【００５２】
１０    表示装置部
１０Ａ，１０Ｂ，１０Ｃ，１０Ｄ    表示装置
１１Ａ，１１Ｂ，１１Ｃ，１１Ｄ    表示部
１２Ａ，１２Ｂ，１２Ｃ，１２Ｄ    非表示部
２０    透明板部
２０Ａ，１０Ｂ，２０Ｃ，２０Ｄ    透明板
２１Ａ，２１Ｂ，２１Ｃ，２１Ｄ    平面部
２２Ａ，２２Ｂ，２２Ｃ，２２Ｄ    第１斜面部
２３Ａ，２３Ｂ，２３Ｃ，２３Ｄ    第２斜面部
【図１】
2013072980.tif 000003
【図２】
2013072980.tif 000004
【図３】
2013072980.tif 000005
【図４】
2013072980.tif 000006
【図５】
2013072980.tif 000007
【図６】
2013072980.tif 000008
【図７】
2013072980.tif 000009
【図８】
2013072980.tif 000010
【図９】
2013072980.tif 000011